(57)【特許請求の範囲】
【請求項１】
ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持部材において、
前記ウェイトバーの上部に形成される上部溝に対向する部位に形成されて当該上部溝に対して上方から係合する第１の係合部材と、
前記ウェイトバーの下部に形成される下部溝に対向する部位に形成されて当該下部溝に対して下方から係合する第２の係合部材と、を備え、
前記第２の係合部材が形成される部分の周囲に部分的に連続するスリットを貫通して形成することにより、前記第２の係合部材が形成された部位と、その他の部位とを互いに独立して上下方向へ弾性変形可能とし、さらに前記操作具の取付部位を前記その他の部位の下部に設けてなるロールブラインドの操作具支持部材。
【請求項２】
請求項１に記載のロールブラインドの操作具支持部材において、
前記スリットは、前記ウェイトバーの長手方向において前記第２の係合部材を間に挟み、かつ上下方向へ延びる第１および第２のスリット、ならびに第１および第２のスリットの下部間を連結する第３のスリットを有してなるロールブラインドの操作具支持部材。
【請求項３】
請求項１または請求項２に記載のロールブラインドの操作具支持部材において、
前記スリットに囲まれた部位の厚みを、前記他の部位の厚みよりも小さく設定してなるロールブラインドの操作具支持部材。
【請求項４】
請求項１〜請求項３のうちいずれか一項に記載のロールブラインドの操作具支持部材において、
前記ウェイトバーは、前記スクリーンの下部に設けられる筒状部分に挿入された状態に維持されるものであって、
前記操作具支持部材は、前記上部溝に対向する部位と、前記下部溝に対向する部位とを連結するとともに、前記ウェイトバーの外側面に沿って湾曲する壁を備え、
前記壁の内面には、前記ウェイトバーに装着されたときに当該ウェイトバーの外側面に前記スクリーンの生地を介して接触する突部が形成されてなるロールブラインドの操作具支持部材。
【請求項５】
請求項１〜請求項４のうちいずれか一項に記載のロールブラインドの操作具支持部材において、
前記操作具として、ユーザに把持される操作紐あるいはハンドルを採用し、
前記操作具の取付部位として、前記操作紐を取り付けるための第１の取付部位、および前記ハンドルを取り付けるための第２の取付部位の双方を、前記その他の部位の下部に形成された垂下部に設けてなるロールブラインドの操作具支持部材。
【請求項６】
請求項１〜請求項５のうちいずれか一項に記載のロールブラインドの操作具支持部材において、前記ウェイトバーの室外側となる外側面を覆う態様で取り付けられるロールブラインドの操作具支持部材。
【請求項７】
請求項１〜請求項６のうちいずれか一項に記載のロールブラインドの操作具支持部材を備えてなるロールブラインド。
【発明の詳細な説明】
【技術分野】
【０００１】
本発明は、ロールブラインド、およびそのスクリーンを昇降操作するための操作具を支持する部材に関する。
【背景技術】
【０００２】
たとえば特許文献１には、つぎのようなロールブラインドが開示されている。すなわち、図９（ａ）に示すように、スクリーン１０１の下端には、スクリーン生地を上へ折り返して縫い合わせることにより筒状部分が形成されている。この筒状部分には、ウェイトバー１０２が挿入されている。ウェイトバー１０２の上部および下部には、それぞれウェイトバー１０２の長手方向に沿って延びる上部溝１０３および下部溝１０４が形成されている。
【０００３】
ウェイトバー１０２には、スクリーン生地を介して支持部材１０５が取り付けられている。支持部材１０５は、合成樹脂材料により一体形成されるとともに、ウェイトバー１０２の外周面に沿って湾曲して形成されている。支持部材１０５の上端部は、内側への湾曲の度合いが若干大きくされることにより、ウェイトバー１０２の上部溝１０３にスクリーン生地を介して係合可能とされている。支持部材１０５の下部における内面（図中の上面）には、ウェイトバー１０２の長手方向へ延びる突部１０６が形成されている。突部１０６は、ウェイトバー１０２の下部溝１０４にスクリーン生地を介して係合可能とされている。また、支持部材１０５の下部には、操作紐１０７が取り付けられている。
【０００４】
支持部材１０５は、つぎのようにして取り付けられる。すなわちまず、支持部材１０５の上端部を、ウェイトバー１０２の室外側からウェイトバー１０２の上部溝１０３に係合させる。次いで、図９（ａ）に矢印１０８で示されるように、支持部材１０５を、上部溝１０３を支点としてウェイトバー１０２の室外側から室内側へ向けて回動させる。すると、突部１０６がウェイトバー１０２の下部溝１０４に下方から弾性的に嵌合する。支持部材１０５は、ウェイトバー１０２の屋外側（図中の左側）の半分を覆った状態に維持される。以上で、支持部材１０５の取付け作業は完了となる。
【０００５】
特許文献１には、つぎのような支持部材も開示されている。すなわち、図９（ｂ）に示すように、支持部材１１１は、互いの下端が回転可能に連結される第１および第２の挟持部材１１２，１１３を備えてなる。第１および第２の挟持部材１１２，１１３は、互いの連結部分を中心として回転することにより、図示しないウェイトバーに対して開放状態と挟着状態となる。開放状態とは、第１および第２の挟持部材１１２，１１３の上端が互いに離間する状態である。この開放状態において、第１および第２の挟持部材１１２，１１３の間にウェイトバーを挿入可能となる。挟着状態とは、第１および第２の挟持部材１１２，１１３の上端が互いに近接してウェイトバーを互いに反対側から挟み込む状態である。
【０００６】
支持部材１１１をウェイトバーに取り付ける場合には、第１および第２の挟持部材１１２，１１３を開放状態にして、ウェイトバーにその下方から取り付ける。次いで、ウェイトバーが第１および第２の挟持部材１１２，１１３によって挟み込まれた状態で、第１および第２の挟持部材１１２，１１３を互いに近接する方向へ回転させることにより、第１および第２の挟持部材１１２，１１３をウェイトバーに対して挟着状態にする。この後、第１および第２の挟持部材１１２，１１３にそれぞれ形成された係合溝１１４，１１５に係合部材１１６を係合させることにより、第１および第２の挟持部材１１２，１１３は、ウェイトバーの外周面に圧接される。これにより、第１および第２の挟持部材１１２，１１３はウェイトバーに固定される。なお、図９（ｂ）に示される支持部材１１１と同様の構成は、特許文献２にも開示されている。
【先行技術文献】
【特許文献】
【０００７】
【特許文献１】登録特許第３５６３６９９号公報
【特許文献２】登録特許第３５６５４２９号公報
【発明の概要】
【発明が解決しようとする課題】
【０００８】
図９（ａ）に示される支持部材１０５には、つぎのような懸念がある。すなわち、ウェイトバー１０２に嵌合する突部１０６が形成される部分、および操作紐１０７が取り付けられる部分は、いずれも支持部材１０５の下端部である。また、突部１０６をウェイトバー１０２の下部溝１０４に嵌合させる方向と、操作紐１０７の引張り方向とは互いに反対方向である。このため、操作紐１０７が下方へ強く引っ張られるなどして、支持部材１０５に突部１０６の下部溝１０４に対する嵌合力を超える力が印加された場合には、突部１０６が下部溝１０４から脱落し、ひいては支持部材１０５がウェイトバー１０２から外れるおそれがある。この点、図９（ｂ）に示される支持部材１１１、あるいは特許文献２の支持部材によれば、昇降操作時の脱落は抑制されるものの、図９（ａ）の支持部材１０５に対して、部品点数の点で不利である。
【０００９】
本発明は上記問題点を解決するためになされたものであって、その目的は、部品点数を抑えつつも、操作具を通じたスクリーンの昇降操作時にウェイトバーからの脱落を抑制することができるロールブラインドの操作具支持装置およびそれを備えたロールブラインドを提供することにある。
【課題を解決するための手段】
【００１０】
請求項１に記載の発明は、ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持部材において、前記ウェイトバーの上部に形成される上部溝に対向する部位に形成されて当該上部溝に対して上方から係合する第１の係合部材と、前記ウェイトバーの下部に形成される下部溝に対向する部位に形成されて当該下部溝に対して下方から係合する第２の係合部材と、を備え、前記第２の係合部材が形成される部分の周囲に部分的に連続するスリットを貫通して形成することにより、前記第２の係合部材が形成された部位と、その他の部位とを互いに独立して上下方向へ弾性変形可能とし、さらに前記操作具の取付部位を前記その他の部位の下部に設けてなることをその要旨とする。
【００１１】
本発明によれば、下部溝に係合する第２の係合部材が形成された部位以外の他の部位の下部に操作具が取り付けられる。そして第２の係合部材が形成された部位と、その他の部位とは互いに独立して上下方向へ弾性変形可能とされている。このため、スクリーンを引き下ろすべく操作具が下方へ引っ張られたとき、他の部位のみが下方へ弾性変形する。すなわち、第２の係合部材が形成された部位は下方へ弾性変形することなく、第２の係合部材がウェイトバーの下部溝から脱落することが抑制される。支持部材は一体形成されるので、部品点数も抑えられる。
【００１２】
請求項２に記載の発明は、請求項１に記載のロールブラインドの操作具支持部材において、前記スリットは、前記ウェイトバーの長手方向において前記第２の係合部材を間に挟み、かつ上下方向へ延びる第１および第２のスリット、ならびに第１および第２のスリットの下部間を連結する第３のスリットを有してなることをその要旨とする。
【００１３】
本発明によれば、支持部材の第２の係合部材が形成された部位は、第１および第２のスリットの上端間の部分を支点として、前記他の部位に対して相対的に上下方向へ弾性変形する。このようにしても、スクリーンを引き下ろすべく操作具が下方へ引っ張られたとき、他の部位のみを下方へ弾性変形させることができる。
【００１４】
請求項３に記載の発明は、請求項１または請求項２に記載のロールブラインドの操作具支持部材において、前記スリットに囲まれた部位の厚みを、前記他の部位の厚みよりも小さく設定してなることをその要旨とする。
【００１５】
本発明によれば、支持部材の第２の係合部材が形成された部位は、弾性変形しやすくなる。このため、第２の係合部材をウェイトバーの下部溝に係合させやすくなる。
請求項４に記載の発明は、前記ウェイトバーは、前記スクリーンの下部に設けられる筒状部分に挿入された状態に維持されるものであって、前記操作具支持部材は、前記上部溝に対向する部位と、前記下部溝に対向する部位とを連結するとともに、前記ウェイトバーの外側面に沿って湾曲する壁を備え、前記壁の内面には、前記ウェイトバーに装着されたときに当該ウェイトバーの外側面に前記スクリーンの生地を介して接触する突部が形成されてなることをその要旨とする。
【００１６】
本発明によれば、支持部材をウェイトバーに取り付けた際、支持部材の突部は、ウェイトバーの外側面にスクリーン生地を介して接触する。ここで、スクリーン生地の生地厚は、様々であるため、生地厚によっては、第２の係合部材が下部溝に好適に係合させることが困難となる場合がある。この点、本発明では、生地厚が若干大きくなっても、突部が生地に食い込むことにより、生地厚が吸収される。このため、第２の係合部材を下部溝に好適に係合させることが可能になる。
【００１７】
請求項５に記載の発明は、請求項１〜請求項４のうちいずれか一項に記載のロールブラインドの操作具支持部材において、前記操作具として、ユーザに把持される操作紐あるいはハンドルを採用し、前記操作具の取付部位として、前記操作紐を取り付けるための第１の取付部位、および前記ハンドルを取り付けるための第２の取付部位の双方を、前記その他の部位の下部に形成された垂下部に設けてなることをその要旨とする。
【００１８】
本発明によれば、製品仕様あるいはユーザの好みなどに応じて、操作紐あるいはハンドルを選択して支持部材に取り付けることができる。
請求項６に記載の発明は、請求項１〜請求項５のうちいずれか一項に記載のロールブラインドの操作具支持部材において、前記ウェイトバーの室外側となる外側面を覆う態様で取り付けられることをその要旨とする。
【００１９】
本発明によれば、支持部材の室内側への露出を抑えることができる。このため、ロールブラインドを室内側からみたときの意匠性の向上が期待できる。
請求項７に記載の発明は、ロールブラインドにおいて、請求項１〜請求項６のうちいずれか一項に記載のロールブラインドの操作具支持部材を備えてなることをその要旨とする。
【００２０】
請求項１〜請求項６のうちいずれか一項に記載のロールブラインドの操作具支持部材は、ロールブラインドに好適である。
【発明の効果】
【００２１】
本発明によれば、部品点数を抑えつつも、操作具を通じたスクリーンの昇降操作時にウェイトバーからの脱落を抑制することができる。
【図面の簡単な説明】
【００２２】
【図１】（ａ），（ｂ）は、本実施の形態におけるロールブラインドの斜視図。
【図２】図１（ａ）の１−１線断面図。
【図３】（ａ），（ｂ）は、同じく支持部材の斜視図。
【図４】同じく支持部材を室内側から見た正面図。
【図５】同じく支持部材の下面図。
【図６】（ａ）は、図４の２−２線断面図、（ｂ）は同じく３−３線断面図、（ｃ）は、同じく４−４線断面図。
【図７】（ａ）は、同じく支持部材の斜視図、（ｂ）は、図６（ｂ）に対応する支持部材の断面図、（ｃ）は、同じく支持部材の側面図。
【図８】（ａ）は、ハンドルの側面図、（ｂ）は、ハンドルの正面図。
【図９】（ａ）は、従来の支持部材の断面図、（ｂ）は、他の従来の支持部材の断面図。
【発明を実施するための形態】
【００２３】
以下、本発明を具体化した一実施の形態を図１〜図８（ａ），（ｂ）に基づいて説明する。
＜全体構成＞
図１（ａ）に示すように、ロールブラインド１１の上部には、取付枠１２が設けられている。取付枠１２は、その上部に設けられた２つのブラケット１２ａ，１２ａを介して、窓の上枠などに固定される。取付枠１２の両端には、それぞれ下方へ延びるサイドブラケット１３，１３が取り付けられている。両サイドブラケット１３，１３間には、巻取軸１４が回転可能に支持されている。巻取軸１４にはスクリーン１５が吊り下げられている。スクリーン１５の下端には、ウェイトバー１６が取り付けられている。ウェイトバー１６の長手方向における中央部には、支持部材１７を介して操作紐１８が支持されている。操作紐１８の下端には、把持部材１８ａが設けられている。操作紐１８は、スクリーン１５を昇降操作するための操作具である。操作紐１８の操作を通じて、巻取軸１４の内部に設けられる巻き上げ装置（図示略）が作動することにより、スクリーン１５が昇降する。なお、支持部材１７には、操作紐１８に代えて、ハンドル１９を取り付けることも可能とされている。
【００２４】
＜ウェイトバー＞
図２に示されるように、ウェイトバー１６は、スクリーン１５の下端に形成された筒状部分に側方から挿入されている。ウェイトバー１６は、アルミ押出形材である中空棒状の本体２１、および本体２１の室外側に装着されるウェイトバーダンパ２２を備えてなる。ウェイトバーダンパ２２はゴム材により形成されている。ウェイトバー１６の長手方向に直交する断面形状は、楕円形状とされている。ウェイトバー１６の上部には上部溝２３が、同じく下部には下部溝２４が形成されている。上部溝２３および下部溝２４はそれぞれウェイトバー１６の長手方向に沿って延びている。ウェイトバー１６には、スクリーン生地を介して支持部材１７が取り付けられている。
【００２５】
＜支持部材＞
支持部材１７は、合成樹脂材料により一体形成されている。図２に示すように、支持部材１７は、ウェイトバー１６の外周面に沿って湾曲する板状に形成されている。支持部材１７の長手方向に対して直交する断面形状はＣ字状をなしている。支持部材１７は、ウェイトバー１６の室外側の半分、正確にはウェイトバー１６の上部から室外側の側面を経て下部に至るまでの範囲を覆うかたちで取り付けられている。
【００２６】
図３（ａ）に併せて示すように、支持部材１７の上端部には、係合爪３１が形成されている。係合爪３１は、支持部材１７の上端部の内側への湾曲の度合いが若干大きくされることにより形成されている。係合爪３１の先端には、複数個の突部３２が形成されている。各突部３２は、支持部材１７の長手方向において間隔をおいて設けられている。係合爪３１は、ウェイトバー１６の上部溝２３にスクリーン生地を介して係合する。各突部３２は、スクリーン生地に食い込む。また、図３（ｂ）に示すように、支持部材１７の上部には、矩形状の複数の孔３３が形成されている。これら孔３３は、支持部材１７の長手方向において間隔をおいて設けられている。
【００２７】
支持部材１７の下部には、下方へ垂れ下がる垂下部４１が形成されている。垂下部４１は、支持部材１７の長手方向における全長にわたって形成されている。垂下部４１の両端面には、それぞれ円柱状の軸受穴４２，４２が形成されている。これら軸受穴４２，４２は、支持部材１７の長手方向における中央部の付近まで延びている。また、支持部材１７の下部内面における両端には、それぞれ凹部４３，４３が形成されている。２つの凹部４３，４３は、それぞれ上方、および支持部材１７の長手方向における外側へ開放されている。さらに、図６（ａ）に併せて示されるように、２つの凹部４３，４３は、それらの底部においてそれぞれ軸受穴４２，４２に連通している。各凹部４３の内外方向において対向する２つの内面は、上方へ向かうにつれて徐々に離間する案内面４３ａ，４３ｂとされている。２つの軸受穴４２，４２、および２つの凹部４３，４３は、ハンドル１９を取り付ける際に使用される。
【００２８】
図３（ａ）に示すように、支持部材１７（本体１７ａ）の内面において、上下方向における中央部よりも若干上側の部位には、突部５１が形成されている。図４に併せて示されるように、突部５１は、支持部材１７の長手方向に沿って延び、かつ支持部材の全長にわたって形成されている。突部５１の上面および下面は、突部５１の先端に向かうにつれて互いに近接するテーパ面とされている。図２に示されるように、支持部材１７がウェイトバー１６に取り付けられた状態において、突部５１の先端は、ウェイトバーダンパ２２の外側面にスクリーン生地を介して接触し、あるいは食い込む。
【００２９】
図４に示すように、支持部材１７には、スリット６０が貫通して形成されている。スリット６０は、突部５１の直下に設けられている。スリット６０は、上下方向へ延びる第１および第２のスリット６１，６２、および支持部材１７の長手方向へ延びる第３のスリット６３からＵ字状をなしている。第１および第２のスリット６１，６２は、支持部材１７の両端側にそれぞれ偏倚して形成されている。第１および第２のスリット６１，６２の下部間は、第３のスリット６３により連結されている。
【００３０】
支持部材１７にスリット６０が形成されることにより、舌片７１が形成されている。舌片７１は、支持部材１７において、突部５１とスリット６０とによって囲まれた部位である。図３（ａ）に併せ示されるように、舌片７１は、突部５１の近傍の部分である基端を起点として下方へ延び、かつ下方へ向かうにつれて徐々に内側へ湾曲している。図６（ｂ）に併せ示すように、舌片７１の下部は、第３のスリット６３の貫通方向に沿って内方へ延びている。舌片７１の先端は、垂下部４１よりも室内側（図中の右側）に位置している。舌片７１の下部の上面には、係合突部７２が形成されている。係合突部７２は、支持部材１７の長手方向における舌片７１の全長にわたって設けられている。係合突部７２は、ウェイトバー１６の下部溝２４にスクリーン生地を介して係合可能とされている。舌片７１の先端に対して上方からの外力が印加されたとき、舌片７１は基端部を中心として外側へ撓む。
【００３１】
図３（ｂ）に示すように、支持部材１７の外側面（室外側の面）には、凹部７３が形成されている。凹部７３は、第１および第２の凹部７４，７５からなる。第１の凹部７４は、支持部材１７の外側面における舌片７１に対応する部位に形成されている。第２の凹部７５は支持部材１７の外側面における舌片７１よりも上の部分に対応して形成されている。第２の凹部７５の支持部材１７の長手方向における長さは、第１の凹部７４よりも若干大きく設定されている。図６（ｂ）に示されるように、支持部材１７において、凹部７３が形成された部分の厚みは、凹部７３が形成されていない他の部分の厚みよりも小さくなる。すなわち、舌片７１の基端部、およびその上側の部分の厚みが小さくされる分だけ、舌片７１は撓みやすくなる。
【００３２】
図３（ｂ）に示すように、第３のスリット６３の底面（舌片７１に対向する面）において、支持部材１７の長手方向における中央には、凹部８１が形成されている。凹部８１の内底面には、挿通孔８２が形成されている。図５に示すように、挿通孔８２は、垂下部４１の下面に開口している。挿通孔８２は、操作紐１８を取り付ける際に使用される。
【００３３】
図７（ａ）に示すように、支持部材１７は、大きく第１の部位９１および第２の部位９２に区画される。第１の部位９１は、図７（ａ）に多数のドットを付して示されるように、支持部材１７において、舌片７１および及びその上部の部分である。第１の部位９１は、主に支持部材１７をウェイトバー１６に装着する際に力がかかる部分である。第２の部位９２は、支持部材１７において、第１の部位９１を除いた部分（図中にドットが付されていない部分）である。第２の部位９２は、主に操作紐１８またはハンドル１９が下方へ引張り操作された際に力がかかる部分である。
【００３４】
＜操作具の取付方法＞
つぎに、支持部材に対する操作具の取付方法を説明する。支持部材１７には、操作紐１８およびハンドル１９のいずれかが装着される。
【００３５】
支持部材１７に操作紐１８を取り付ける場合、図６（ｃ）に二点鎖線で示されるように、操作紐１８を挿通孔８２に挿通する。そして、操作紐１８の上端に結び目を形成する。この結び目が、凹部８１の内底面における挿通孔８２の周縁に係止されることにより、操作紐１８は吊り下げ状態で支持される。以上で、操作紐１８の取付作業は完了となる。
【００３６】
ここで、ハンドル１９の構成を説明する。図８（ａ），（ｂ）に示すように、ハンドル１９は、上下に延びる２つの腕部１９ａ，１９ａ、および２つの腕部１９ａ，１９ａの下部間を連結する把持部１９ｂ、および２つの腕部１９ａ，１９ａの上部間を連結する補強部１９ｃから全体として矩形状に形成されている。２つの腕部１９ａ，１９ａの上部には、互いに対向する軸２０，２０が形成されている。そして、支持部材１７にハンドル１９を取り付ける場合、ハンドル１９の２つの軸２０，２０を上方から支持部材１７の２つの凹部４３，４３に挿入する。この際、軸２０は、互いに対向する２つの案内面４３ａ，４３ｂに案内されることにより、円滑に下方へ変位する。２つの案内面４３ａ，４３ｂの下部間の距離は、軸２０の外径よりも若干小さく設定されている。このため、軸２０は、２つの案内面４３ａ，４３ｂの下部間に係合する。この状態で、軸２０をさらに下方へ押し込むと、２つの案内面４３ａ，４３ｂの下部は互いに離間する方向へわずかに弾性変形する。その結果、軸２０は２つの案内面４３ａ，４３ｂの下部間を下方へ通過して軸受穴４２に対して回転可能に嵌合する。軸２０が下方へ通過すると、２つの案内面４３ａ，４３ｂの下部は、互いに近接する方向へ弾性復帰する。軸２０が２つの案内面４３ａ，４３ｂの下部に係合することにより、軸２０の上方への変位が規制される。以上で、ハンドル１９の取付作業は完了となる。
【００３７】
＜支持部材の着脱方法＞
つぎに、ウェイトバーに対する支持部材の着脱方法を図７（ａ），（ｂ），（ｃ）を参照して説明する。前述したように、支持部材１７には、操作紐１８およびハンドル１９のいずれも装着可能である。いずれが選択される場合であれ、支持部材１７をウェイトバー１６に装着する際には、操作紐１８またはハンドル１９を予め支持部材１７に取り付ける。なお、図７（ｂ），（ｃ）では、説明の便宜上、スクリーン１５を省略して図示する。
【００３８】
さて、支持部材１７をウェイトバー１６に装着する際には、まず、支持部材１７の係合爪３１を、ウェイトバー１６の室外側からウェイトバー１６の上部溝２３に係合させる。次いで、支持部材１７を、上部溝２３に係合した係合爪３１を支点としてウェイトバー１６の室外側から室内側（ウェイトバー１６に近接する方向）へ向けて回動させる。すると、図７（ｂ）に二点鎖線で示されるように、係合突部７２がスクリーン生地を介して下部溝２４の開口端縁に当接する。さらに支持部材１７をウェイトバー１６に近接する方向へ回転させると、これに伴い支持部材１７の舌片７１がその基端部を支点としてウェイトバー１６から離間する方向（ここでは、下方）へ弾性変形する。そして係合突部７２が下部溝２４の開口端縁を乗り越えると、係合突部７２は下部溝２４にスクリーン生地を介して弾性的に嵌合する。支持部材１７は、ウェイトバー１６の屋外側（図中の右側）の半分を覆った状態に維持される。以上で、支持部材１７の取付け作業は完了となる。
【００３９】
支持部材１７をウェイトバー１６から取り外す際には、舌片７１の先端を下方へ押圧する。舌片７１の先端に対して下方への外力が印加されることにより、舌片７１がその基端部を支点としてウェイトバー１６から離間する方向へ若干、弾性変形する。この舌片７１の弾性変形に伴い、係合突部７２は下方へ変位する。これにより、係合突部７２と下部溝２４との係合が解除される。当該係合が解除された状態で、支持部材１７を、上部溝２３に係合した係合爪３１を支点としてウェイトバー１６の室内側から室外側（ウェイトバー１６から離間する方向）へ向けて回動させることにより、支持部材１７はウェイトバー１６から取り外される。
【００４０】
＜支持部材の作用＞
つぎに、ロールブラインドの操作時における支持部材の作用を説明する。ここでは操作紐１８が採用されているものとする。
【００４１】
さて、スクリーン１５を昇降させる場合には、操作紐１８が下方へ引っ張られる。このとき、支持部材１７には、下方への外力が印加される。支持部材１７の下方への変位は、係合爪３１がウェイトバー１６の上部溝２３に係合することにより規制される。またこのとき、下方への外力は、直接的には、支持部材１７の垂下部４１に印加される。ここで、舌片７１は、スリット６０を介して垂下部４１および垂下部４１の上側の部分に対して離間している。このため、舌片７１に下方への外力が印加されることはない。したがって、図７（ｃ）に二点鎖線で示されるように、支持部材１７の垂下部４１のみが、支持部材１７の突部５１が形成された部分を支点として、下方へわずかに弾性変形する。舌片７１は下方へ弾性変形することがないので、係合突部７２はウェイトバー１６の下部溝２４に係合した状態に維持される。すなわち、操作紐１８の下方への引張り操作により、係合突部７２が下部溝２４から脱落すること、ひいては支持部材１７がウェイトバー１６から脱落することが抑制される。なお、ハンドル１９を採用した場合も、同様である。
【００４２】
＜実施の形態の効果＞
したがって、本実施の形態によれば、以下の効果を得ることができる。
（１）支持部材１７において、係合突部７２が形成された舌片７１以外の部位の下部、具体的には垂下部４１に操作具である操作紐１８またはハンドル１９が取り付けられる。そして舌片７１と、その他の部位とは互いに独立して上下方向へ弾性変形可能とされている。このため、スクリーン１５を昇降すべく操作紐１８またはハンドル１９が下方へ引っ張られたとき、舌片７１以外の他の部位のみが下方へ弾性変形する。すなわち、舌片７１は下方へ弾性変形することなく、係合突部７２が下部溝２４から脱落することが抑制される。したがって、操作紐１８などの操作具を下方へ引張り操作した場合であれ、支持部材１７がウェイトバー１６から外れることはない。また、支持部材１７は、合成樹脂材料により一体形成されるので、部品点数も抑えられる。
【００４３】
（２）また、係合突部７２が設けられる舌片７１が、支持部材１７の他の部分に対して独立して弾性変形することにより、支持部材１７のウェイトバー１６に対する着脱作業が簡単になる。すなわち、支持部材１７をウェイトバー１６に取り付ける際には、ウェイトバー１６と嵌合する部分である舌片７１の弾性変形を通じて、係合突部７２が簡単に上下に変位する。このため、支持部材１７をウェイトバー１６に対して簡単に取り付けることができる。また、支持部材１７をウェイトバー１６から取り外す際には、ウェイトバー１６と嵌合する部分である舌片７１の先端を下方へ押圧するだけで係合突部７２とウェイトバー１６との係合が解除される。このため、支持部材１７を簡単に取り外すことができる。
【００４４】
（３）舌片７１の厚みは、支持部材１７の他の部分の厚みよりも小さく設定されている。このため、舌片７１は、いっそう弾性変形しやすくなる。
（４）支持部材１７の内面には、支持部材１７の長手方向へ延びる突部５１を形成した。このため、支持部材１７をウェイトバー１６に取り付けた際、突部５１は、ウェイトバー１６の外側面にスクリーン生地を介して線接触する。ここで、スクリーン生地の生地厚は、様々である。このため、生地厚によっては、係合突部７２が下部溝２４に好適に係合させることが困難となる場合がある。この点、本例では、生地厚が若干大きくなっても、突部５１が生地に食い込むことにより、生地厚が吸収される。このため、係合突部７２を下部溝２４に好適に係合させることが可能になる。すなわち、係合突部７２の下部溝２４に対する嵌合不良の発生が抑制される。なお、ウェイトバー１６の室外側には、ゴム製のウェイトバーダンパ２２が設けられているので、突部５１はスクリーン生地を介して、いっそう食い込みやすくなる。
【００４５】
（５）また、支持部材１７をウェイトバー１６に取り付けた際、突部５１がウェイトバー１６の外側面にスクリーン生地を介して線接触することにより、支持部材１７のウェイトバー１６に対する取付状態が安定する。支持部材１７のがたつきなどが抑制される。
【００４６】
（６）支持部材１７には、操作紐１８を取り付けるための挿通孔８２、およびハンドル１９を取り付けるための軸受穴４２をそれぞれ設けた。このため、製品使用あるいはユーザの好みなどに応じて、操作紐１８あるいはハンドル１９を選択して支持部材１７に取り付けることができる。したがって、ユーザは操作紐１８およびハンドル１９のいずれか一方を選択して取り付けることができるので、使いが手がよい。また、操作紐１８およびハンドル１９に対する専用の支持部材を設ける場合と異なり、１種類の支持部材１７を用意すればよい。このため、部品の種類、ひいては部品の管理コストの低減化が図られる。
【００４７】
（７）ハンドル１９は支持部材１７に対して、軸２０を中心として回転可能になる。このため、ハンドル１９を取り付けた場合におけるロールブラインドの操作性が向上する。
（８）支持部材１７は、合成樹脂材料により一体成型した。このため、部品点数を増大させることなく、支持部材１７のウェイトバー１６からの脱落を抑制することができる。
【００４８】
（９）支持部材１７は、ウェイトバー１６の室外側の半分を覆う態様でウェイトバー１６に取り付けられる。このため、支持部材１７の室内側への露出を抑えることができる。意匠性の向上にもつながる。
【００４９】
＜他の実施の形態＞
なお、前記実施の形態は、次のように変更して実施してもよい。
・本例では、支持部材１７は、ウェイトバー１６の室外側の半分を覆うかたちで一つだけ取り付けるようにしたが、室内側の半分を覆うかたちで取り付けるようにしてもよい。また、２つの支持部材１７，１７をウェイトバー１６に取り付けるようにしてもよい。すなわち、２つの支持部材１７，１７は、ウェイトバー１６を室内外方向において挟み込むようにして取り付ける。この場合、２つの支持部材１７，１７は、上下の向きを同じにして取り付けてもよいし、上下の向きを互いに反対向きにして取り付けてもよい。ウェイトバー１６の外形形状、ならびに上部溝２３および下部溝２４などの寸法などは、適宜調節すればよい。
【００５０】
・本例では、支持部材１７を合成樹脂材料により形成したが、金属で形成してもよい。
・ウェイトバー１６の形状は種々存在する。支持部材１７の形状を、選択されるウェイトバー１６の外形形状などに応じて適宜調節することにより、支持部材１７は種々のウェイトバーに装着することが可能になる。
【００５１】
・本例では、ウェイトバー１６を本体２１およびウェイトバーダンパ２２を備えて構成したが、ウェイトバーダンパ２２を省略してもよい。ウェイトバー１６の本体２１の外形形状は適宜調節する。
【００５２】
・本例では、突部５１は支持部材１７の長手方向における全長にわたって形成したが、突部５１は複数個に分割して設けてもよい。また、突部５１は、支持部材１７の長手方向における全長に満たなくてもよい。
【００５３】
・本例では、係合突部７２は舌片７１の長手方向における全長にわたって形成したが、係合突部７２は複数個に分割して設けてもよい。また、係合突部７２は、舌片７１の長手方向における全長に満たなくてもよい。
【００５４】
・本例では、軸受穴４２を上方に開放する凹部４３を設け、ハンドル１９の軸２０を上方か軸受穴４２に装着可能としたが、凹部４３を省略してもよい。この場合、ハンドル１９の軸２０は、垂下部４１の側方から軸受穴４２に挿入する。
【００５５】
・本例では、支持部材１７には、操作紐用の挿通孔８２およびハンドル用の軸受穴４２の双方を設けたが、挿通孔８２および軸受穴４２の一方を省略してもよい。この場合、操作紐１８あるいはハンドル１９に対する専用の支持部材を構成することができる。
【００５６】
・本例では、スリット６０の形状をＵ字状としたが、たとえば円弧状、あるいはＶ字状などとしてもよい。支持部材１７の舌片７１が、操作紐１８などが連結される部分と離間しさえすればよい。
【００５７】
＜他の技術的思想＞
次に、前記実施の形態から把握できる技術的思想を以下に追記する。
（イ）請求項４に記載のロールブラインドの操作具支持部材において、前記突部は前記ウェイトバーの長手方向に沿って延設し、当該ウェイトバーに装着されたときに当該ウェイトバーの外側面に線接触するロールブラインドの操作具支持部材。この構成によれば、支持部材のウェイトバーに対する取付状態が安定する。
【００５８】
（ロ）請求項５に記載のロールブラインドの操作具支持部材において、前記ハンドルは、上下に延びる２つの腕、ならびにこれら腕の下部間を連結する把持部を備え、前記２つの腕の上端には、それぞれ前記ウェイトバーの長手方向において互いに対向する軸を形成し、前記第２の取付部位として、前記垂下部における前記ウェイトバーの長手方向における両端に、それぞれ前記軸を回転可能に支持する軸受穴を形成してなるロールブラインドの操作具支持部材。この構成によれば、ハンドルは支持部材に対して、軸を中心として回転可能になる。このため、ロールブラインドの操作性が向上する。
【００５９】
（ハ）前記（ロ）項に記載のロールブラインドの操作具支持部材において、前記軸受穴は上方へ開放して形成し、前記軸を前記軸受穴へ上方から装着可能としてなるロールブラインドの操作具支持部材。この構成によれば、軸受穴に対する軸の取付作業性が向上する。
【００６０】
（ニ）請求項５に記載のロールブラインドの操作具支持部材において、前記第１の取付部位として、前記垂下部における室外側の側面に凹部を形成し、さらに当該凹部の内下面に上下方向に貫通する前記操作紐用の挿通孔を形成してなるロールブラインドの操作具支持部材。この構成によれば、凹部がない場合に比べて、操作紐を挿通孔に通しやすくなる。操作紐を挿入するスペースが確保されるからである。
【符号の説明】
【００６１】
１１…ロールブラインド、１５…スクリーン、１６…ウェイトバー、１７…支持部材（操作具支持部材）、１７ａ…本体（壁）、１８…操作紐（操作具）、１９…ハンドル（操作具）、１９ａ…腕、１９ｂ…把持部、２０…軸、２３…上部溝、２４…下部溝、３１…係合爪（第１の係合部材）、４１…垂下部、４２…軸受穴（第２の取付部位）、５１…突部、６０…スリット、６１…第１のスリット、６２…第２のスリット、６３…第３のスリット、７１…舌片、７２…係合突部（第２の係合部材）、８１…凹部、８２…挿通孔（第１の取付部位）。
【図１】
0005715885.tif 000002
【図２】
0005715885.tif 000003
【図３】
0005715885.tif 000004
【図４】
0005715885.tif 000005
【図５】
0005715885.tif 000006
【図６】
0005715885.tif 000007
【図７】
0005715885.tif 000008
【図８】
0005715885.tif 000009
【図９】
0005715885.tif 000010